【手続補正書】
【提出日】令和3年6月21日(2021.6.21)
【手続補正１】
【補正対象書類名】特許請求の範囲
【補正対象項目名】全文
【補正方法】変更
【補正の内容】
【特許請求の範囲】
【請求項１】
パケット通過を指定する下位アドレスメモリとパケットドロップを指定するアドレステーブルとパケットドロップを指定する下位アドレスメモリとをそれぞれ持つ複数のパケットアッド・ドロップおよび通過の装置間を接続した２重リング網の一つのパケットアッド・ドロップおよび通過の装置であって、他のパケットアッド・ドロップおよび通過の装置配下の全端末または全ルータの送信元アドレスの下位アドレスがパケット通過を指定する下位アドレスメモリに登録され、リング網外からアッドした自パケットアッド・ドロップおよび通過の装置配下の端末またはルータの送信元アドレスを持つ全端末または全ルータの片経路設定パケットについては、その片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、一方、パケット通過を指定する下位アドレスメモリに記憶されていない場合には、そのパケットの送信元ＭＡＣアドレスの下位アドレスをパケットドロップを指定する下位アドレスメモリに記憶後、リング網外からアッドした自パケットアッド・ドロップおよび通過の装置配下の端末またはルータのパケットはそのまま左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリに記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、かつ、そのパケットの宛先ＭＡＣアドレスの下位アドレスがパケット通過を指定する下位アドレスメモリ記憶されている場合には、そのパケットをコピーして、コピーパケットはリング外に送出し、元のパケットは下流のパケットアッド・ドロップおよび通過の装置に送出することを特徴とするパケットアッド・ドロップおよび通過の装置。
【請求項２】
パケット通過を指定する下位アドレスメモリとパケットドロップを指定するアドレステーブルとパケットドロップを指定する下位アドレスメモリとをそれぞれ持つ複数のパケットアッド・ドロップおよび通過の装置間を接続した２重リング網の一つのパケットアッド・ドロップおよび通過の装置であって、他のパケットアッド・ドロップおよび通過の装置配下の全端末または全ルータの送信元ＭＡＣアドレスを持つ周期的な片経路設定パケットの下位アドレスがパケット通過を指定する下位アドレスメモリに登録され、リング網外からアッドした自パケットアッド・ドロップおよび通過の装置配下の全端末または全ルータの送信元ＭＡＣアドレスを持つ端末またはルータの周期的な片経路設定パケットについて、その片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、かつ、そのパケットの送信元ＭＡＣアドレスの下位アドレスをパケットドロップを指定する下位アドレスメモリから削除し、一方、パケット通過を指定する下位アドレスメモリに記憶されていない場合には、そのパケットの送信元ＭＡＣアドレスの下位アドレスをパケットドロップを指定する下位アドレスメモリに記憶し、そのパケットを左回りリングまたは右回りリングに送出する自パケットアッド・ドロップおよび通過の装置配下の全端末または全ルータについての一定時間以上行う上記全１連の動作を終了後、リング網外からアッドした自パケットアッド・ドロップおよび通過の装置配下の端末またはルータのパケットはそのまま左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリに記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出することを特徴とするパケットアッド・ドロップおよび通過の装置。
【請求項３】
パケット通過を指定する下位アドレスメモリとパケットドロップを指定するアドレステーブルとパケットドロップを指定する下位アドレスメモリとをそれぞれ持つ複数のパケットアッド・ドロップおよび通過の装置間を接続した２重リング網の一つのパケットアッド・ドロップおよび通過の装置であって、他のパケットアッド・ドロップおよび通過の装置配下の全端末または全ルータの送信元ＭＡＣアドレスを持つ周期的な片経路設定パケットの下位アドレスがパケット通過を指定する下位アドレスメモリに登録され、リング網外からアッドした自パケットアッド・ドロップおよび通過の装置配下の全端末または全ルータの送信元ＭＡＣアドレスを持つ端末またはルータの周期的な片経路設定パケットについて、その片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、かつ、そのパケットの送信元ＭＡＣアドレスの下位アドレスをパケットドロップを指定する下位アドレスメモリから削除し、一方、パケット通過を指定する下位アドレスメモリに記憶されていない場合には、そのパケットの送信元ＭＡＣアドレスの下位アドレスをパケットドロップを指定する下位アドレスメモリに記憶し、そのパケットを左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリに記憶されている場合には、そのパケットをコピーして、コピーパケットはリング外に送出し、元のパケットは下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出することを特徴とするパケットアッド・ドロップおよび通過の装置。
【請求項４】
請求項１に記載のパケットアッド・ドロップおよび通過の装置を用いたリング網であって、リング網配下の端末またはルータ以外の端末またはルータからのマーク付の宛先ＭＡＣアドレスがリング網配下の端末またはルータであるパケットがパケットアッド・ドロップおよび通過の装置に到着した場合に、そのパケットにマークが付与されており、そのパケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、そのパケットの送信元ＭＡＣアドレスの下位アドレスがパケット通過を指定する下位アドレスメモリに記憶されていない場合には、そのパケットの送信元ＭＡＣアドレスの下位アドレスをパケットドロップを指定する下位アドレスメモリに記憶し、かつ、そのパケットがリングにアッドしたパケットアッド・ドロップおよび通過の装置以外のパケットアッド・ドロップおよび通過の装置のパケット通過を指定する下位アドレスメモリにそのパケットの送信元ＭＡＣアドレスの下位アドレスを記憶することを特徴とするリング網。
【請求項５】
請求項３に記載のパケットアッド・ドロップおよび通過の装置を用いたリング網であって、リング網配下の端末またはルータ以外の端末またはルータからの宛先ＭＡＣアドレスがリング網配下の端末またはルータであるパケットがパケットアッド・ドロップおよび通過の装置に到着した場合に、そのパケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、そのパケットの送信元ＭＡＣアドレスの下位アドレスがパケット通過を指定する下位アドレスメモリに記憶されていない場合には、そのパケットの送信元ＭＡＣアドレスの下位アドレスをパケットドロップを指定する下位アドレスメモリに記憶し、かつ、そのパケットがリングにアッドしたパケットアッド・ドロップおよび通過の装置以外のパケットアッド・ドロップおよび通過の装置のパケット通過を指定する下位アドレスメモリにそのパケットの送信元ＭＡＣアドレスの下位アドレスを記憶することを特徴とするリング網。
【請求項６】
前記パケットの送信元ＭＡＣアドレスの下位アドレスをパケット通過を指定する下位アドレスメモリまたはパケットドロップを指定する下位アドレスメモリに記憶することは、パケット通過を指定する下位アドレスメモリまたはパケットドロップを指定する下位アドレスメモリを送信元ＭＡＣアドレスの下位アドレスでアドレス指定した位置にビット１を記憶することである請求項１から請求項３のいずれかに記載のパケットアッド・ドロップおよび通過の装置。
【請求項７】
前記パケットの送信元ＭＡＣアドレスの下位アドレスをパケット通過を指定する下位アドレスメモリまたはパケットドロップを指定する下位アドレスメモリに記憶することは、パケット通過を指定する下位アドレスメモリまたはパケットドロップを指定する下位アドレスメモリを送信元ＭＡＣアドレスの下位アドレスの上位下位アドレスでアドレス指定した位置から読み出される並列データの各ビットと送信元ＭＡＣアドレスの下位アドレスの下位下位アドレスをデコードした並列データの各ビットとの論理和の並列データのラッチ信号をパケット通過を指定する下位アドレスメモリまたはパケットドロップを指定する下位アドレスメモリの前記アドレス指定位置に記憶することである請求項１から請求項３のいずれかに記載のパケットアッド・ドロップおよび通過の装置。
【手続補正２】
【補正対象書類名】明細書
【補正対象項目名】０００９
【補正方法】変更
【補正の内容】
【０００９】
本発明は、上記従来技術の問題点を鑑みて成されたもので、その手段は、リング網の他のパケットアッド・ドロップおよび通過の装置配下の全端末または全ルータの送信元ＭＡＣアドレスの下位アドレスが自パケット通過を指定する下位アドレスメモリに登録され、リング網外からアッドした自パケットアッド・ドロップおよび通過の装置配下の端末またはルータの送信元アドレスを持つ全端末またはルータの片経路設定パケットについて、片経路設定パケットの送信元ＭＡＣアドレスの下位アドレスがパケット通過を指定する下位アドレスメモリに記憶されている場合には、パケットドロップを指定するアドレステーブルにそのパケットの送信元アドレスを記憶し、一方、パケット通過を指定する下位アドレスメモリに記憶されていない場合には、そのパケットの送信元アドレスの下位アドレスをパケットドロップを指定する下位アドレスメモリに記憶後、通常パケットでは上記メモリおよびアドレステーブルへの書き込みはしないパケット転送システムである。
【手続補正３】
【補正対象書類名】明細書
【補正対象項目名】００１０
【補正方法】変更
【補正の内容】
【００１０】
本発明の第１の観点は、サービス開始前に、リング網の自パケットアッド・ドロップおよび通過の装置配下の全端末または全ルータの送信元ＭＡＣアドレスの下位アドレスを自パケットアッド・ドロップおよび通過の装置以外の他のパケットアッド・ドロップおよび通過の装置に知らせることである。具体的には、各自パケットアッド・ドロップおよび通過の装置配下の全端末について、各端末の送信元ＭＡＣアドレスを持つ片経路設定パケットにより、リング上のそのパケットのリングにリング外から到着したパケットアッド・ドロップおよび通過の装置以外の全パケットアッド・ドロップおよび通過の装置のパケット通過を指定する下位アドレスメモリを前記パケットの送信元ＭＡＣアドレスの下位アドレスでアドレス指定した位置にビット１を記憶し、前記パケットの送信元端末の送信元ＭＡＣアドレスの存在をリングにアッドする端末に知らせることである。
【手続補正４】
【補正対象書類名】明細書
【補正対象項目名】００１１
【補正方法】変更
【補正の内容】
【００１１】
本発明の第２の観点は、上記動作がリング網配下の全端末について行われた後、リングにアッドしたパケットの送信元ＭＡＣアドレスの下位アドレスでパケット通過を指定する下位アドレスメモリをアドレス指定した場合に、ビット１が読み出される場合には、そのパケットの送信元ＭＡＣアドレスをパケットドロップを指定するアドレステーブルに記憶し、リングにアッドしたパケットの送信元ＭＡＣアドレスの下位アドレスでパケット通過を指定する下位アドレスメモリをアドレス指定した場合に、ビット１が読み出されない場合には、そのパケットの送信元ＭＡＣアドレスの下位アドレスでパケットドロップを指定する下位アドレスメモリをアドレス指定した位置にビット１を書き込むことである。以上２つの動作をサービス開始前に行う。
【手続補正５】
【補正対象書類名】明細書
【補正対象項目名】００１２
【補正方法】変更
【補正の内容】
【００１２】
これにより、サービス開始後、リングを転送される片経路設定パケット以外のパケットがパケットアッド・ドロップおよび通過の装置に到着した場合に、パケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、パケット通過を指定する下位アドレスメモリを、そのパケットの宛先ＭＡＣアドレスの下位アドレスでアドレス指定した場合にビット１が読み出されず、かつ、パケットドロップを指定する下位アドレスメモリを、そのパケットの宛先ＭＡＣアドレスの下位アドレスでアドレス指定した場合にビット１が読み出される場合には、そのパケットをリング外に送出し、そのパケットの宛先ＭＡＣアドレスがパケットドロップを指定するアドレステーブルに記憶されていない場合で、パケット通過を指定する下位アドレスメモリを、そのパケットの宛先ＭＡＣアドレスの下位アドレスでアドレス指定した場合にビット１が読み出され、かつ、パケットドロップを指定する下位アドレスメモリを、そのパケットの宛先ＭＡＣアドレスの下位アドレスでアドレス指定した場合にビット１が読み出されない場合には、そのパケットを下流のパケットアッド・ドロップおよび通過の装置に送出し、そのパケットの宛先ＭＡＣアドレスがパケットドロップを指定するアドレステーブルに記憶されていない場合で、かつ、パケット通過を指定する下位アドレスメモリを、そのパケットの宛先ＭＡＣアドレスの下位アドレスでアドレス指定した場合にビット１が読み出されず、かつ、パケットドロップを指定する下位アドレスメモリを、そのパケットの宛先ＭＡＣアドレスの下位アドレスでアドレス指定した場合にビット１が読み出されない場合には、そのパケットを廃棄する。
【手続補正６】
【補正対象書類名】明細書
【補正対象項目名】００１３
【補正方法】変更
【補正の内容】
【００１３】
以上は、リング網配下の端末に対してのみの通信動作であるが、上記動作に、パケットの宛先ＭＡＣアドレスがパケットドロップを指定するアドレステーブルに記憶されていない場合で、パケット通過を指定する下位アドレスメモリを、そのパケットの宛先ＭＡＣアドレスの下位アドレスでアドレス指定した場合にビット１が読み出され、かつ、パケットドロップを指定する下位アドレスメモリを、そのパケットの宛先ＭＡＣアドレスの下位アドレスでアドレス指定した場合にビット１が読み出される場合には、そのパケットをコピーし、コピーパケットはリング外に送出し、元のパケットは下流のパケットアッド・ドロップおよび通過の装置に送出する動作を加えれば、リング網配下の端末またはルータでない外の端末またはルータからのパケットが加わってもリング動作可能になる。
その場合、外の端末またはルータからのパケットにマークを付け、そのパケットのみがメモリおよびアドレステーブルへの書き込みを行う。
【手続補正７】
【補正対象書類名】明細書
【補正対象項目名】００１４
【補正方法】変更
【補正の内容】
【００１４】
本発明の第１の具体的手段は、パケット通過を指定する下位アドレスメモリとパケットドロップを指定するアドレステーブルとパケットドロップを指定する下位アドレスメモリとを持つリング網のパケットアッド・ドロップおよび通過の装置であって、他のパケットアッド・ドロップおよび通過の装置配下の全端末または全ルータの送信元ＭＡＣアドレスの下位アドレスがパケット通過を指定する下位アドレスメモリに登録された後、リング網外からアッドした自パケットアッド・ドロップおよび通過の装置配下の端末またはルータの送信元アドレスを持つ全端末またはルータの片経路設定パケットについて、片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、一方、パケット通過を指定する下位アドレスメモリに記憶されていない場合には、そのパケットの送信元ＭＡＣアドレスの下位アドレスをパケットドロップを指定する下位アドレスメモリに記憶した後、リング網外からアッドした自パケットアッド・ドロップおよび通過の装置配下の端末またはルータのパケットはそのまま左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリにもパケット通過を指定する下位アドレスメモリにも記憶されていない場合には、そのパケットを廃棄することを特徴とするするパケットアッド・ドロップおよび通過の装置を用いることである。
【手続補正８】
【補正対象書類名】明細書
【補正対象項目名】００１５
【補正方法】変更
【補正の内容】
【００１５】
本発明の第２の具体的手段は、パケット通過を指定する下位アドレスメモリとパケットドロップを指定するアドレステーブルとパケットドロップを指定する下位アドレスメモリとを持つリング網のパケットアッド・ドロップおよび通過の装置であって、他のパケットアッド・ドロップおよび通過の装置配下の全端末または全ルータの送信元ＭＡＣアドレスの下位アドレスがパケット通過を指定する下位アドレスメモリに登録された後、リング網外からアッドした自パケットアッド・ドロップおよび通過の装置配下の端末またはルータの送信元アドレスを持つ全端末またはルータの片経路設定パケットについて、片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、一方、パケット通過を指定する下位アドレスメモリに記憶されていない場合には、そのパケットの送信元ＭＡＣアドレスの下位アドレスをパケットドロップを指定する下位アドレスメモリに記憶した後、リング網外からアッドした自パケットアッド・ドロップおよび通過の装置配下の端末またはルータのパケットはそのまま左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、かつ、そのパケットの宛先ＭＡＣアドレスの下位アドレスがパケット通過を指定する下位アドレスメモリ記憶されている場合には、そのパケットをコピーして、コピーパケットはリング外に送出し、元のパケットは下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリにもパケット通過を指定する下位アドレスメモリにも記憶されていない場合には、そのパケットを廃棄することを特徴とするするパケットアッド・ドロップおよび通過の装置を用いることである。
【手続補正９】
【補正対象書類名】明細書
【補正対象項目名】００１６
【補正方法】変更
【補正の内容】
【００１６】
本発明の第３の具体的手段は、パケット通過を指定する下位アドレスメモリとパケットドロップを指定するアドレステーブルとパケットドロップを指定する下位アドレスメモリとを持つリング網のパケットアッド・ドロップおよび通過の装置であって、他のパケットアッド・ドロップおよび通過の装置配下の端末またはルータの送信元アドレスを持つ周期的な全端末または全ルータの片経路設定パケットの下位アドレスがパケット通過を指定する下位アドレスメモリに登録され、リング網外からアッドした自パケットアッド・ドロップおよび通過の装置配下の端末またはルータの送信元アドレスを持つ端末またはルータの周期的な片経路設定パケットについて、その片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、かつ、そのパケットの送信元ＭＡＣアドレスの下位アドレスをパケットドロップを指定する下位アドレスメモリから削除し、一方、パケット通過を指定する下位アドレスメモリに記憶されていない場合には、そのパケットの送信元ＭＡＣアドレスの下位アドレスをパケットドロップを指定する下位アドレスメモリに記憶し、そのパケットを左回りリングまたは右回りリングに送出する自パケットアッド・ドロップおよび通過の装置配下の全端末または全ルータについての一定時間以上行う上記全１連の動作を終了後、リング網外からアッドした自パケットアッド・ドロップおよび通過の装置配下の端末またはルータのパケットはそのまま左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリにもパケット通過を指定する下位アドレスメモリにも記憶されていない場合には、そのパケットを廃棄することを特徴とするするパケットアッド・ドロップおよび通過の装置を用いることである。
【手続補正１０】
【補正対象書類名】明細書
【補正対象項目名】００１７
【補正方法】変更
【補正の内容】
【００１７】
本発明の第４の具体的手段は、パケット通過を指定する下位アドレスメモリとパケットドロップを指定するアドレステーブルとパケットドロップを指定する下位アドレスメモリとを持つリング網のパケットアッド・ドロップおよび通過の装置であって、他のパケットアッド・ドロップおよび通過の装置配下の端末またはルータの送信元アドレスを持つ周期的な全端末または全ルータの片経路設定パケットの下位アドレスがパケット通過を指定する下位アドレスメモリに登録され、リング網外からアッドした自パケットアッド・ドロップおよび通過の装置配下の全端末または全ルータの送信元アドレスを持つ端末またはルータの周期的な片経路設定パケットについて、その片経路設定パケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、かつ、そのパケットの送信元ＭＡＣアドレスの下位アドレスをパケットドロップを指定する下位アドレスメモリから削除し、一方、パケット通過を指定する下位アドレスメモリに記憶されていない場合には、そのパケットの送信元ＭＡＣアドレスの下位アドレスをパケットドロップを指定する下位アドレスメモリに記憶し、そのパケットを左回りリングまたは右回りリングに送出し、左回りリングまたは右回りリングからパケットが到着した場合に、そのパケットの宛先ＭＡＣアドレスがパケットドロップを指定するアドレステーブルに記憶されている場合には、そのパケットをリング外に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されていない場合には、そのパケットをリング外に送出し、そのパケットの宛先ＭＡＣアドレスの下位アドレスがパケットドロップを指定する下位アドレスメモリ記憶されている場合で、そのパケットの宛先ＭＡＣアドレスの下位アドレスがパケット通過を指定する下位アドレスメモリ記憶されている場合には、そのパケットをコピーし、コピーパケットはリング外に送出し、元のパケットはそのパケットを下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリ記憶されていない場合で、そのパケットの宛先ＭＡＣアドレスの下位アドレスがパケット通過を指定する下位アドレスメモリ記憶されている場合には、そのパケットを下流のパケットアッド・ドロップおよび通過の装置に送出し、そのパケットの宛先ＭＡＣアドレスがパケットドロップを指定するアドレステーブルに記憶されていない場合で、かつ、そのパケットの宛先ＭＡＣアドレスの下位アドレスがパケットドロップを指定する下位アドレスメモリにもパケット通過を指定する下位アドレスメモリにも記憶されていない場合には、そのパケットを廃棄することを特徴とするするパケットアッド・ドロップおよび通過の装置を用いることである。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
本発明の具体的手段は、前記具体的手段２に記載のパケットアッド・ドロップおよび通過の装置を用いたリング網であって、リング網配下の端末またはルータ以外の端末またはルータからのマーク付の宛先ＭＡＣアドレスがリング網配下の端末またはルータであるパケットがパケットアッド・ドロップおよび通過の装置に到着した場合に、そのパケットにマークが付与されており、そのパケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、そのパケットの送信元ＭＡＣアドレスの下位アドレスがパケット通過を指定する下位アドレスメモリに記憶されていない場合には、そのパケットの送信元ＭＡＣアドレスの下位アドレスをパケットドロップを指定する下位アドレスメモリに記憶し、かつ、そのパケットがリングにアッドしたパケットアッド・ドロップおよび通過の装置以外のパケットアッド・ドロップおよび通過の装置のパケット通過を指定する下位アドレスメモリにそのパケットの送信元ＭＡＣアドレスの下位アドレスを記憶することを特徴とするリング網を用いることである。
【手続補正１６】
【補正対象書類名】明細書
【補正対象項目名】００２３
【補正方法】変更
【補正の内容】
【００２３】
本発明の具体的手段は、前記具体的手段４に記載のパケットアッド・ドロップおよび通過の装置を用いたリング網であって、リング網配下の端末またはルータ以外の端末またはルータからのパケットがパケットアッド・ドロップおよび通過の装置に到着した場合に、そのパケットの送信元ＭＡＣアドレスの下位アドレスがパケット通過を指定する下位アドレスメモリに記憶されている場合には、パケットドロップを指定するアドレステーブルにそのパケットの送信元ＭＡＣアドレスを記憶し、そのパケットの送信元ＭＡＣアドレスの下位アドレスがパケット通過を指定する下位アドレスメモリに記憶されていない場合には、そのパケットの送信元ＭＡＣアドレスの下位アドレスをパケットドロップを指定する下位アドレスメモリに記憶し、かつ、そのパケットがリングにアッドしたパケットアッド・ドロップおよび通過の装置以外のパケットアッド・ドロップおよび通過の装置のパケット通過を指定する下位アドレスメモリにそのパケットの送信元ＭＡＣアドレスの下位アドレスを記憶することを特徴とするリング網を用いることである。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】変更
【補正の内容】
【００２５】
本発明の具体的手段のパケットの送信元ＭＡＣアドレスの下位アドレスをパケット通過を指定する下位アドレスメモリまたはパケットドロップを指定する下位アドレスメモリに記憶することは、パケット通過を指定する下位アドレスメモリまたはパケットドロップを指定する下位アドレスメモリを送信元アドレスの下位アドレスでアドレス指定した位置にビット１を記憶することである。
【手続補正１９】
【補正対象書類名】明細書
【補正対象項目名】００２６
【補正方法】変更
【補正の内容】
【００２６】
本発明の具体的手段のパケットの送信元ＭＡＣアドレスの下位アドレスをパケット通過を指定する下位アドレスメモリまたはパケットドロップを指定する下位アドレスメモリに記憶することは、パケット通過を指定する下位アドレスメモリまたはパケットドロップを指定する下位アドレスメモリを送信元ＭＡＣアドレスの下位アドレスの上位下位アドレスでアドレス指定した位置から読み出される並列データの各ビットと送信元ＭＡＣアドレスの下位アドレスの下位下位アドレスをデコードした並列データの各ビットとの論理和の並列データのラッチ信号をパケット通過を指定する下位アドレスメモリまたはパケットドロップを指定する下位アドレスメモリの前記アドレス指定位置に記憶することである。
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】変更
【補正の内容】
【００２９】
以上、説明したように、本発明によれば、リング網配下の端末またはルータの、サービス開始前のサービス中パケット転送に必要な送信元ＭＡＣアドレス情報をパケットアッド・ドロップおよび通過の装置のメモリおよびアドレステーブルに記憶するので、サービス中は端末またはルータの送信元ＭＡＣアドレスを記憶することなく、主に、パケットの宛先ＭＡＣアドレスの下位アドレスのみを用いてパケットを転送できるので、高速パケット転送できる効果がある。